(57)【特許請求の範囲】
【請求項１】
下階の柱上部に取着した柱頭金物に接合されるように、上階の柱下部に取着した木質柱用の柱脚金物において、
上階の側面に設置されるバルコニーを支持するバルコニー支持ブラケットを備えてなることを特徴とする柱脚金物。
【請求項２】
前記バルコニー支持ブラケットがボルトにより結合されてなる請求項１記載の柱脚金物。
【請求項３】
前記柱脚金物を上階の柱下部に取着するためのボルトが螺着されるナットと、前記バルコニー支持ブラケットを該柱脚金物に結合するためのボルトが螺着されるナットのそれぞれを、該柱脚金物に予め裏ナットとして溶接してなる請求項１記載の柱脚金物。
【請求項４】
請求項１〜３のいずれかに記載の柱脚金物を用い、下階建物ユニットの上に上階建物ユニットを接合し、上階建物ユニットの側面にバルコニーを設置してなるユニット建物。
【発明の詳細な説明】
【０００１】
【発明の属する技術分野】
本発明は柱脚金物及びユニット建物に関する。
【０００２】
【従来の技術】
従来、特開平8-82010 号公報に記載の如く、下階建物ユニットの上に上階建物ユニットを接合し、且つ上階建物ユニットの側面にバルコニーを設置したユニット建物がある。このようなバルコニー付ユニット建物の構築構造として、上階建物ユニットの柱下部に、下階建物ユニットとの接合のためのボルト挿通孔を設け、同時に、バルコニーを支持するためのボルト挿通孔を設けることが考えられる。
【０００３】
【発明が解決しようとする課題】
しかしながら、上階建物ユニットの柱下部に、下階建物ユニットとバルコニーのそれぞれに対応する複数のボルト挿通孔を設ける場合には、柱の下部に複雑な内部加工が集中し、柱の断面性能が脆弱となる。
【０００４】
尚、本出願人は、下階建物ユニットの上に上階建物ユニットを接合するに際し、上階建物ユニットの柱の断面性能を脆弱化しない構造として、特願平10-102921 により、下階建物ユニットの柱上部に取着した柱頭金物に接合されるように、上階建物ユニットの柱下部に取着した柱脚金物を用いるものを提案している。但し、この上階建物ユニットに取着した柱脚金物にはバルコニーを支持することの考慮が全くなかった。
【０００５】
本発明の課題は、建物の木質柱の断面性能を脆弱化することなく、下階の上に上階を接合し、且つ上階の側面にバルコニーを設置可能とすることにある。
【０００６】
【課題を解決するための手段】
請求項１記載の本発明は、下階の柱上部に取着した柱頭金物に接合されるように、上階の柱下部に取着した木質柱用の柱脚金物において、上階の側面に設置されるバルコニーを支持するバルコニー支持ブラケットを備えてなるようにしたものである。
【０００７】
請求項２記載の本発明は、請求項１記載の本発明において更に、前記バルコニー支持ブラケットがボルトにより結合されてなるようにしたものである。
【０００８】
請求項３記載の本発明は、請求項１記載の本発明において更に、前記柱脚金物を上階の柱下部に取着するためのボルトが螺着されるナットと、前記バルコニー支持ブラケットを該柱脚金物に結合するためのボルトが螺着されるナットのそれぞれを、該柱脚金物に予め裏ナットとして溶接してなるようにしたものである。
【０００９】
請求項４記載の本発明は、請求項１〜３のいずれかに記載の柱脚金物を用い、下階建物ユニットの上に上階建物ユニットを接合し、上階建物ユニットの側面にバルコニーを設置してなるようにしたものである。
【００１０】
【作用】
請求項１の発明によれば下記▲１▼の作用がある。
▲１▼下階の柱頭金物に上階の柱脚金物を接合することにより、下階の上に上階を接合できる。同時に、上階の柱脚金物に備えたバルコニー支持ブラケットにバルコニーを支持することにより、上階の側面にバルコニーを設置できる。即ち、上階に、バルコニー支持ブラケットを備えた柱脚金物を取着したことにより、建物の柱が木質からなる場合にも、柱の断面性能を脆弱化することなく、下階の上に上階を接合し、且つ上階の側面にバルコニーを設置できる。
【００１１】
請求項２の発明によれば下記▲２▼の作用がある。
▲２▼上階に取着した柱脚金物にバルコニー支持ブラケットをボルトにより結合した。従って、バルコニー支持ブラケットは上階の柱脚金物に簡易に現地付けできる。このことは、上階の柱脚金物にバルコニー支持ブラケットを工場付けするものに比して、工場から現地への上階の輸送段階での外径寸法の出張りをなくし、上階の外径寸法を容易に輸送制限範囲内に納め得ることを意味し、建物の輸送性を向上できる。
【００１２】
請求項３の発明によれば下記▲３▼の作用がある。
▲３▼柱脚金物を上階の柱下部に取着するためのボルトが螺着されるナットと、バルコニー支持ブラケットを柱脚金物に結合するためのボルトが螺着されるナットのそれぞれを、柱脚金物に予め裏ナットとして溶接した。従って、柱脚金物を柱に取着するためのボルト締め、及びバルコニー支持ブラケットを柱脚金物に取着するためのボルト締めをワンサイドから行なうことができ、作業性を向上できる。
【００１３】
請求項４の発明によれば下記▲４▼の作用がある。
▲４▼上述▲１▼〜▲３▼により、下階が下階建物ユニット、上階が上階建物ユニットである場合に、下階建物ユニットの上に上階建物ユニットを接合し、且つ上階建物ユニットの側面にバルコニーを備えるユニット建物の品質、生産性を向上できる。
【００１４】
【発明の実施の形態】
図１は第１実施形態を示し、（Ａ）はユニット建物を示す斜視図、（Ｂ）は上階平面図、図２は図１（Ｂ）のII部の拡大であり、柱脚金物を示す平面図、図３は柱脚金物を示す斜視図、図４は図２のIV−IV 線に沿う断面図、図５は図４の側面図、図６は第２実施形態を示し、（Ａ）はユニット建物を示す斜視図、（Ｂ）は上階平面図、図７は図６（Ｂ）のVII 部の拡大であり、柱脚金物を示す平面図、図８は図７のVII−VII 線に沿う断面図、図９は柱脚金物を示し、（Ａ）は平面図、（Ｂ）は側面図、図１０はバルコニー支持ブラケットを示し、（Ａ）は平面図、（Ｂ）は側面図である。
【００１５】
（第１実施形態）（図１〜図５）
ユニット建物１０は、図１に示す如く、下階建物ユニット１１の上に上階建物ユニット１２を接合し、且つ上階建物ユニット１２の側面にバルコニー１３を設置したものである。
【００１６】
下階建物ユニット１１、上階建物ユニット１２は、床構造体の上部に壁構造体を立設するに際し、軸組方式と耐力壁方式とを混用したものである。下階建物ユニット１１の壁構造体は、壁枠組材１４の側部に柱１５を釘打ち等により一体結合して構成され、上階建物ユニット１２の壁構造体は、壁枠組材１６の側部に柱１７を釘打ち等により一体結合して構成される。
【００１７】
（下階建物ユニット１１）（図４、図５）
下階建物ユニット１１は、図４、図５に示す如く、柱１５の上部に柱頭金物２０を設けている。柱頭金物２０は、柱１５の上部に挿着されるＵ字状の側板２１と、側板２１の天部に抱きかかえられる如くに溶接された天板２２と、側板２１の一方の側面に溶接された接合部材２３とを有する。側板２１の両側部にはボルト挿通孔２１Ａ（不図示）が設けられ、側板２１の天部には裏ナット２１Ｂが溶接され、この裏ナット２１Ｂにガイドピン２１Ｃが螺着可能とされている。接合部材２３は、ボルト挿通孔２３Ａを備える。柱頭金物２０は、柱１５の上部に挿着され、側板２１のボルト挿通孔２１Ａに挿通されるボルト２４により、壁枠組材１４、平鋼板２５とともに、柱１５に固定される。
【００１８】
（上階建物ユニット１２）（図２〜図５）
上階建物ユニット１２は、図２〜図５に示す如く、柱１７の下部に柱脚金物３０を設けている。柱脚金物３０は、柱１７の下部に挿着されるＵ字状の側板３１と、側板３１の底部に抱きかかえられる如くに溶接された底板３２と、側板３１の一方の側面に溶接された接合部材３３とを有する。側板３１の両側部にはボルト挿通孔３１Ａが設けられ、側板３１の底部と底板３２にはガイドピン挿通孔３１Ｂが設けられている。接合部材３３は、ボルト挿通孔３３Ａを備える。柱脚金物３０は、柱１７の下部に挿着され、側板３１のボルト挿通孔３１Ａに挿通されるボルト３４により、壁枠組材１６、平鋼板３５とともに、柱１７に固定される。
【００１９】
柱脚金物３０は、側板３１の前面に掛け渡されている正面板３６に、バルコニー支持ブラケット４０を一体に備える。バルコニー支持ブラケット４０は、バルコニー１３の床梁１８を支持するＬ字状の支持板４１の基端部を正面板３６に溶接するとともに、この支持板４１の水平材４１Ａと正面板３６とに溶接されて支持板４１を補強する補強板４２を備える。バルコニー支持ブラケット４０は、支持板４１の水平材４１Ａにガイドピン４３を取着され、垂直材４１Ｂにボルト挿通孔４４を備える。バルコニー１３の床梁１８はバルコニー支持ブラケット４０のガイドピン４３に対応する長孔状ガイドピン挿通孔１８Ａ、バルコニー支持ブラケット４０のボルト挿通孔４４に対応するボルト挿通孔１８Ｂを備え、ボルト４５によりバルコニー支持ブラケット４０に固定される。
【００２０】
即ち、ユニット建物１０にあっては、以下の如くに、(A) 下階建物ユニット１１の上に上階建物ユニット１２を接合し、(B) 上階建物ユニット１２の側面にバルコニー１３を設置する。
(A) 下階建物ユニット１１への上階建物ユニット１２の接合構造
(1) 下階建物ユニット１１の上に上階建物ユニット１２を吊り降ろして据付ける。このとき、下階建物ユニット１１の柱１５の柱頭金物２０と、上階建物ユニット１２の柱１７の柱脚金物３０との間に、ジョイントスペーサ３７を介装する。そして、上階建物ユニット１２の柱脚金物３０が備えるガイドピン挿通孔３１Ｂが、下階建物ユニット１１の柱頭金物２０が備えるガイドピン２１Ｃに嵌合してガイドされる。
【００２１】
(2) 下階建物ユニット１１の柱頭金物２０の接合部材２３のボルト挿通孔２３Ａと上階建物ユニット１２の柱脚金物３０の接合部材３３のボルト挿通孔３３Ａとジョイントスペーサ３７のボルト挿通孔に接合ボルト３８を挿通し、接合部材２３、３３とジョイントスペーサ３７をナット３８Ａで締結する。必要により、ジョイントスペーサ３７と接合部材３３との間にスペーサ３９を介装する。
【００２２】
(B) 上階建物ユニット１２へのバルコニー１３の支持構造
(1) 上階建物ユニット１２の柱脚金物３０が備えるバルコニー支持ブラケット４０の支持板４１の上にバルコニー１３を吊り降ろして据付ける。このとき、バルコニー１３の床梁１８が備えるガイドピン挿通孔１８Ａが、バルコニー支持ブラケット４０の支持板４１が備えるガイドピン４３に嵌合してガイドされる。
【００２３】
(2) バルコニー支持ブラケット４０の支持板４１のボルト挿通孔４４とバルコニー１３の床梁１８のボルト挿通孔１８Ｂにボルト４５を挿通し、支持板４１と床梁１８をナット４５Ａで締結する。
【００２４】
従って、本実施形態によれば、以下の作用がある。
▲１▼下階建物ユニット１１の柱頭金物２０に上階建物ユニット１２の柱脚金物３０を接合することにより、下階建物ユニット１１の上に上階建物ユニット１２を接合できる。同時に、上階建物ユニット１２の柱脚金物３０に備えたバルコニー支持ブラケット４０にバルコニー１３を支持することにより、上階建物ユニット１２の側面にバルコニー１３を設置できる。即ち、上階建物ユニット１２に、バルコニー支持ブラケット４０を備えた柱脚金物３０を取着したことにより、建物ユニットの柱１７が木質からなる場合にも、柱１７の断面性能を脆弱化することなく、下階建物ユニット１１の上に上階建物ユニット１２を接合し、且つ上階建物ユニット１２の側面にバルコニー１３を設置できる。
【００２５】
▲２▼上述▲１▼により、下階建物ユニット１１の上に上階建物ユニット１２を接合し、且つ上階建物ユニット１２の側面にバルコニーを備えるユニット建物１０の品質、生産性を向上できる。
【００２６】
（第２実施形態）（図６〜図１０）
ユニット建物５０は、図６に示す如く、下階建物ユニット１１の上に上階建物ユニット１２を接合し、且つ上階建物ユニット１２の側面にバルコニー１３を設置したものである。
【００２７】
下階建物ユニット１１、上階建物ユニット１２は、第１実施形態におけると同様に、床構造体の上部に壁構造体を立設するに際し、軸組方式と耐力壁方式とを混用したものである。下階建物ユニット１１の壁構造体は、壁枠組材１４の側部に柱１５を釘打ち等により一体結合して構成され、上階建物ユニット１２の壁構造体は、壁枠組材１６の側部に柱１７を釘打ち等により一体結合して構成される。
【００２８】
（下階建物ユニット１１）
下階建物ユニット１１は、第１実施形態における同様に、柱１５の上部に柱頭金物２０を設けている（図４、図５）。柱頭金物２０は、柱１５の上部に挿着されるＵ字状の側板２１と、側板２１の天部に抱きかかえられる如くに溶接された天板２２と、側板２１の一方の側面に溶接された接合部材２３とを有する。側板２１の両側部にはボルト挿通孔２１Ａが設けられ、側板２１の天部には裏ナット２１Ｂが溶接され、この裏ナット２１Ｂにガイドピン２１Ｃが螺着可能とされている。接合部材２３は、ボルト挿通孔２３Ａを備える。柱頭金物２０は、柱１５の上部に挿着され、側板２１のボルト挿通孔２１Ａに挿通されるボルト２４により、壁枠組材１４、平鋼板２５とともに柱１５に固定される。
【００２９】
（上階建物ユニット１２）（図７〜図１０）
上階建物ユニット１２は、図７〜図１０に示す如く、柱１７の下部に柱脚金物６０を設けている。柱脚金物６０は、図９に示す如く、柱１７の下部に挿着されるＵ字状の側板６１と、側板６１の底部に抱きかかえられる如くに溶接された底板６２と、側板６１の一方の側面に溶接された接合部材６３とを有する。側板６１の両側部にはボルト挿通孔６１Ａが設けられ、側板６１の底部と底板６２にはガイドピン挿通孔６１Ｂが設けられている。接合部材６３は、側板６１に溶接される添設板６３Ａと、添設板６３Ａの下端に設けられる接合板６３Ｂと、後述するバルコニー支持ブラケット７０のための取着板６３Ｃとを有し、接合板６３Ｂにボルト挿通孔６３Ｄを備える。柱脚金物６０は、柱１７の下部に挿着され、側板６１のボルト挿通孔６１Ａに挿通されるボルト６４により、壁枠組材１６、平鋼板６５とともに、柱１７に固定される。
【００３０】
このとき、柱脚金物６０は、接合部材６３の添設板６３Ａに、ボルト６４のためのボルト挿通孔と裏ナット６４Ａを予め溶接してある。
【００３１】
柱脚金物６０は、接合部材６３の取着板６３Ｃに、バルコニー支持ブラケット７０をボルト６６により結合可能にしてある。柱脚金物６０は、接合部材６３の取着板６３Ｃに、ボルト６６のためのボルト挿通孔と裏ナット６６Ａを予め溶接してある。
【００３２】
バルコニー支持ブラケット７０は、図１０に示す如く、柱脚金物６０の接合部材６３の取着板６３Ｃにボルト６６で取着される取着板７１を備えるとともに、バルコニー１３の床梁１８を支持するＬ字状の支持板７２の基端部を取着板７１に溶接するとともに、この支持板７２の垂直材７２Ｂと取着板７１とに溶接されて支持板７２を補強する補強板７３を備える。バルコニー支持ブラケット７０は、支持板７２の水平材７２Ａにガイドピン７４を取着され、垂直材７２Ｂにボルト挿通孔７５を備える。バルコニー１３の床梁１８はバルコニー支持ブラケット７０のガイドピン７４に対応する長孔状ガイドピン挿通孔１８Ａ（不図示）、バルコニー支持ブラケット７０のボルト挿通孔７５に対応するボルト挿通孔１８Ｂを備え、ボルト７６によりバルコニー支持ブラケット７０に固定される。
【００３３】
即ち、ユニット建物５０にあっては、以下の如くに、(A) 下階建物ユニット１１の上に上階建物ユニット１２を接合し、(B) 上階建物ユニット１２の側面にバルコニー１３を設置する。
(A) 下階建物ユニット１１への上階建物ユニット１２の接合構造
(1) 下階建物ユニット１１の上に上階建物ユニット１２を吊り降ろして据付ける。このとき、下階建物ユニット１１の柱１５の柱頭金物２０と、上階建物ユニット１２の柱１７の柱脚金物６０との間に、ジョイントスペーサを介装する。そして、上階建物ユニット１２の柱脚金物６０が備えるガイドピン挿通孔６１Ｂが、下階建物ユニット１１の柱頭金物２０が備えるガイドピン２１Ｃに嵌合してガイドされる。
【００３４】
(2) 下階建物ユニット１１の柱頭金物２０の接合部材２３のボルト挿通孔２３Ａと上階建物ユニット１２の柱脚金物６０の接合部材６３のボルト挿通孔６３Ｄとジョイントスペーサのボルト挿通孔に接合ボルト（不図示）を挿通し、接合部材２３、６３とジョイントスペーサをナット（不図示）で締結する。
【００３５】
(B) 上階建物ユニット１２へのバルコニー１３の支持構造
(1) 上階建物ユニット１２の柱脚金物６０の接合部材６３の取着板６３Ｃに、ボルト６６によりバルコニー支持ブラケット７０を固定する。
【００３６】
(2) 上階建物ユニット１２の柱脚金物６０に固定されたバルコニー支持ブラケット７０の支持板７２の上にバルコニー１３を吊り降ろして据付ける。このとき、バルコニー１３の床梁１８が備えるガイドピン挿通孔１８Ａが、バルコニー支持ブラケット７０の支持板７２が備えるガイドピン７４に嵌合してガイドされる。
【００３７】
(3) バルコニー支持ブラケット７０の支持板７２のボルト挿通孔７５とバルコニー１３の床梁１８のボルト挿通孔１８Ｂにボルト７６を挿通し、支持板７２と床梁１８をナット７６Ａで締結する。
【００３８】
従って、本実施形態によれば、以下の作用がある。
▲１▼下階建物ユニット１１の柱頭金物２０に上階建物ユニット１２の柱脚金物６０を接合することにより、下階建物ユニット１１の上に上階建物ユニット１２を接合できる。同時に、上階建物ユニット１２の柱脚金物６０に備えたバルコニー支持ブラケット７０にバルコニー１３を支持することにより、上階建物ユニット１２の側面にバルコニー１３を設置できる。即ち、上階建物ユニット１２に、バルコニー支持ブラケット７０を備えた柱脚金物６０を取着したことにより、建物ユニットの柱１７が木質からなる場合にも、柱１７の断面性能を脆弱化することなく、下階建物ユニット１１の上に上階建物ユニット１２を接合し、且つ上階建物ユニット１２の側面にバルコニー１３を設置できる。
【００３９】
▲２▼上階建物ユニット１２に取着した柱脚金物６０にバルコニー支持ブラケット７０をボルト６６により結合した。従って、バルコニー支持ブラケット７０は上階建物ユニット１２の柱脚金物６０に簡易に現地付けできる。このことは、上階建物ユニット１２の柱脚金物６０にバルコニー支持ブラケット７０を工場付けするものに比して、工場から現地への上階建物ユニット１２の輸送段階での外径寸法の出張りをなくし、上階建物ユニット１２の外径寸法を容易に輸送制限範囲内に納め得ることを意味し、建物ユニットの輸送性を向上できる。
【００４０】
▲３▼柱脚金物６０を上階建物ユニット１２の柱下部に取着するためのボルト６４が螺着されるナット６４Ａと、バルコニー支持ブラケット７０を柱脚金物６０に結合するためのボルト６６が螺着されるナット６６Ａのそれぞれを、柱脚金物６０に予め裏ナット６４Ａ、６６Ａとして溶接した。従って、柱脚金物６０を柱１７に取着するためのボルト締め、及びバルコニー支持ブラケット７０を柱脚金物６０に取着するためのボルト締めをワンサイドから行なうことができ、作業性を向上できる。
【００４１】
▲４▼上述▲１▼〜▲３▼により、下階建物ユニット１１の上に上階建物ユニット１２を接合し、且つ上階建物ユニット１２の側面にバルコニー１３を備えるユニット建物５０の品質、生産性を向上できる。
【００４２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は建物ユニットが床構造体に柱を接合した軸組式のもの、床構造体に壁パネルを接合した壁式のものにも適用できる。また、本発明の柱脚金物は、ユニット建物に限らず、広く一般の建物にて採用できる。
【００４３】
【発明の効果】
以上のように本発明によれば、建物の木質柱の断面性能を脆弱化することなく、下階の上に上階を接合し、且つ上階の側面にバルコニーを設置できる。
【図面の簡単な説明】
【図１】図１は第１実施形態を示し、（Ａ）はユニット建物を示す斜視図、（Ｂ）は上階平面図である。
【図２】図２は図１（Ｂ）のII部の拡大であり、柱脚金物を示す平面図である。
【図３】図３は柱脚金物を示す斜視図である。
【図４】図４は図２のIV−IV 線に沿う断面図である。
【図５】図５は図４の側面図である。
【図６】図６は第２実施形態を示し、（Ａ）はユニット建物を示す斜視図、（Ｂ）は上階平面図である。
【図７】図７は図６（Ｂ）のVII 部の拡大であり、柱脚金物を示す平面図である。
【図８】図８は図７のVII−VII 線に沿う断面図である。
【図９】図９は柱脚金物を示し、（Ａ）は平面図、（Ｂ）は側面図である。
【図１０】図１０はバルコニー支持ブラケットを示し、（Ａ）は平面図、（Ｂ）は側面図である。
【符号の説明】
１０、５０  ユニット建物
１１  下階建物ユニット
１２  上階建物ユニット
１３  バルコニー
１５、１７  柱
２０  柱頭金物
３０、６０  柱脚金物
４０、７０  バルコニー支持ブラケット
６４、６６  ボルト
６４Ａ、６６Ａ  裏ナット
【図１】
0003769430.tif 000002
【図２】
0003769430.tif 000003
【図３】
0003769430.tif 000004
【図４】
0003769430.tif 000005
【図５】
0003769430.tif 000006
【図６】
0003769430.tif 000007
【図７】
0003769430.tif 000008
【図８】
0003769430.tif 000009
【図９】
0003769430.tif 000010
【図１０】
0003769430.tif 000011